(57)【要約】【課題】  省スペース化を実現することができる発券装置を提供することを目的とする。【解決手段】  一実施形態よると、発券装置は、ロール状に捲回された記録媒体を収容する収容部と、第１の搬送系統と、発券機構と、第２の搬送系統と、接続搬送系統と、を具備する。第１の搬送系統は、前記収容部に収容された前記記録媒体を送り出す。発券機構は、前記記録媒体を用いて発券処理を行う。第２の搬送系統は、前記記録媒体を前記発券機構に搬送する。接続搬送系統は、前記第１の搬送系統から送り出された前記記録媒体を、前記記録媒体の捲回軸と直交する方向が成す面に対して所定の角度を成す方向に搬送して前記第２の搬送系統に導入する。【選択図】      図１
2017162383.tif 000002
【特許請求の範囲】
【請求項１】
ロール状に捲回された記録媒体を収容する収容部と、
前記収容部に収容された前記記録媒体を送り出す第１の搬送系統と、
前記記録媒体を用いて発券処理を行う発券機構と、
前記記録媒体を前記発券機構に搬送する第２の搬送系統と、
前記第１の搬送系統から送り出された前記記録媒体を、前記記録媒体の捲回軸と直交する方向が成す面に対して所定の角度を成す方向に搬送して前記第２の搬送系統に導入する接続搬送系統と、
を具備する発券装置。
【請求項２】
前記接続搬送系統は、
前記第１の搬送系統から送り出された前記記録媒体の搬送方向を前記記録媒体の捲回軸と直交する方向が成す面に対して所定の角度を成す方向に変換する第１の方向変換部と、
前記第１の方向変換部により搬送方向が変換された前記記録媒体の搬送方向を前記第２の搬送系統における搬送方向に変換する第２の方向変換部と、
を具備する請求項１に記載の発券装置。
【請求項３】
前記第１の搬送系統と前記第２の搬送系統とが平行である請求項２に記載の発券装置。
【請求項４】
前記第１の方向変換部及び前記第２の方向変換部は、基部の配置面上に配置される請求項３に記載の発券装置。
【請求項５】
前記接続搬送系統は、前記第１の方向変換部と前記第２の方向変換部との間において前記記録媒体を前記基部の前記配置面と平行に搬送する請求項４に記載の発券装置。
【請求項６】
前記第１の方向変換部は、前記基部の前記配置面の長手方向における一方の端部に配置され、前記第２の方向変換部は、前記基部の前記配置面の長手方向における他方の端部に配置される請求項４または５に記載の発券装置。
【請求項７】
前記収容部、前記第１の搬送系統、前記第２の搬送系統、及び前記接続搬送系統を収容する直方体状の筐体をさらに具備し、
前記基部は、前記筐体を構成する６つの面のいずれかと前記筐体内において対向する位置に設けられる請求項４乃至６のいずれか１項に記載の発券装置。
【請求項８】
前記筐体は、前記第２の搬送系統により発券処理が行われた乗車券を排出する排出口を前記６つの面のいずれかである前面に備え、
前記第１の方向変換部は、前記基部の前記配置面の長手方向において前記前面に近い方の端部に配置され、
前記第２の方向変換部は、前記基部の前記配置面の長手方向において前記前面から遠い方の端部に配置される請求項７に記載の発券装置。
【請求項９】
前記基部は、前記筐体の底面と前記筐体内において対向する位置に設けられる請求項８に記載の発券装置。
【発明の詳細な説明】
【技術分野】
【０００１】
本発明の実施形態は、発券装置に関する。
【背景技術】
【０００２】
鉄道の駅において、ホームなどの所定の場所への利用者の通行を制限する改札機、及び改札機が処理する乗車券を発券する発券装置などの駅務機器が一般的に実用化されている。
【０００３】
発券装置は、乗車券の媒体である券媒体がロール状に捲回されて構成されたロール紙を送り出して切断し、切断した券媒体に対して磁気書込み及び印字などの券処理を行い、乗車券を発券する。
【先行技術文献】
【特許文献】
【０００４】
【特許文献１】特開２０１０−１９１７３３号公報
【発明の概要】
【発明が解決しようとする課題】
【０００５】
ロール紙を送り出す為の搬送系統と同じ平面上に券媒体に対して券処理を行う搬送系統を配置した場合、発券装置が大型化するという課題がある。
【０００６】
本発明は、省スペース化を実現することができる発券装置を提供することを目的とする。
【課題を解決するための手段】
【０００７】
一実施形態よると、発券装置は、ロール状に捲回された記録媒体を収容する収容部と、第１の搬送系統と、発券機構と、第２の搬送系統と、接続搬送系統と、を具備する。第１の搬送系統は、前記収容部に収容された前記記録媒体を送り出す。発券機構は、前記記録媒体を用いて発券処理を行う。第２の搬送系統は、前記記録媒体を前記発券機構に搬送する。接続搬送系統は、前記第１の搬送系統から送り出された前記記録媒体を、前記記録媒体の捲回軸と直交する方向が成す面に対して所定の角度を成す方向に搬送して前記第２の搬送系統に導入する。
【図面の簡単な説明】
【０００８】
【図１】図１は、一実施形態に係る発券装置の構成例について説明するための説明図である。
【図２】図２は、一実施形態に係る発券装置の構成例について説明するための説明図である。
【図３】図３は、一実施形態に係る発券装置の第１の搬送系統の構成例について説明するための説明図である。
【図４】図４は、一実施形態に係る発券装置の第２の搬送系統の構成例について説明するための説明図である。
【図５】図５は、一実施形態に係る発券装置の接続搬送系統の構成例について説明するための説明図である。
【図６】図６は、一実施形態に係る発券装置の接続搬送系統の構成例について説明するための説明図である。
【発明を実施するための形態】
【０００９】
以下、図面を参照しながら発券装置について詳細に説明する。  
鉄道などに設けられる駅務システムは、券売機（自動券売機、自動精算機）、窓口端末（窓口処理機）、及び改札機などを備える。
【００１０】
券売機は、改札機による改札処理に必要な情報としての乗車券情報を生成し、生成した乗車券情報を券媒体に記録して乗車券を発券する発券処理を行う。乗車券情報は、例えば、乗車可能な区間、及び発券した駅、及び有効期間などの情報である。券売機は、例えば磁気乗車券（磁気券）を発券する。磁気券は、券媒体の磁気記録層に乗車券情報などの情報が磁気で記録された乗車券である。例えば、券売機は、磁気券の券媒体の磁気層に磁気ヘッダによって乗車券情報を記録することにより乗車券としての磁気券を発券する。
【００１１】
窓口端末は、駅の係員の操作する端末である。例えば、窓口端末は、券を発券する発券処理を行う機能を有する。また、窓口端末は、利用者から受け取った乗車券に記録されている乗車券情報に基づいて出場の為に必要な料金の収受を行う精算処理を行う。
【００１２】
券売機及び窓口端末は、乗車券の媒体である券媒体（記録媒体）がロール状に捲回されて構成されたロール紙を送り出して切断し、切断した券媒体に対して磁気書込み及び印字などの券処理を行うことによって乗車券を発券する発券装置１を備える。
【００１３】
図１及び図２は、本実施形態に係る発券装置１の構成例について説明するための説明図である。発券装置１は、筐体２と、ロール紙装填部３と、券処理部４と、ロール紙装填部３から送り出されたロール紙６を券処理部４に導入する接続搬送系統５と、を備える。
【００１４】
筐体２は、ロール紙装填部３、券処理部４、及び接続搬送系統５を収容する。筐体２は、例えば直方体状に構成されている。筐体２は、券処理部４により発券された乗車券を筐体２の外部に排出する為の排出口７を有する。また、図２に示されるように、筐体２の排出口７が設けられた面（前面）は、筐体２の開口部を塞ぐ扉８として構成されている。筐体２の扉８を開くことにより、筐体２に収容されたロール紙装填部３、券処理部４、及び接続搬送系統５を引き出すことができる。これによって、ロール紙装填部３にロール紙を装填することが可能になる。
【００１５】
ロール紙装填部３は、ロール紙を収容するとともに、収容しているロール紙を券処理部４に送り出す搬送系統（第１の搬送系統）である。ロール紙装填部３は、発券装置１の図示されない制御部または上位装置の制御に基づいてロール紙を送り出す。
【００１６】
図３は、ロール紙装填部３と接続搬送系統５の一部との構成例について説明する為の説明図である。ロール紙装填部３は、例えば、ロール紙収容部１１、送り出しローラ１２、スクレーパ１３、及びガイド部材１４を備える
ロール紙収容部１１は、ロール状に捲回されたロール紙６を収容する。
【００１７】
送り出しローラ１２は、ロール紙６をロール紙収容部１１内で回転させる。送り出しローラ１２は、図示されないモータの動力によってロール紙収容部１１に収容されたロール紙６の表面に当接するローラを回転させることにより、ロール紙６を回転させる。送り出しローラ１２は、ロール紙６を回転させることによりロール紙６を送り出す。
【００１８】
スクレーパ１３は、ロール紙収容部１１内のロール紙をガイド部材１４に導入する。スクレーパ１３は、ロール紙６の表面に当接するヘラ状の部材である。スクレーパ１３は、例えばロール紙６の下部に当接する位置に設けられている。このような構成により、スクレーパ１３は、自重によって下がったロール紙６の端部をガイド部材１４に導入する。
【００１９】
ガイド部材１４は、送り出されたロール紙６を接続搬送系統５に導入する。ガイド部材１４は、送り出されたロール紙６が所定の搬送路を搬送されるようにロール紙６の搬送方向を制御する。
【００２０】
上記したロール紙装填部３は、送り出しローラ１２によってロール紙収容部１１に収容されたロール紙６をガイド部材１４を介して接続搬送系統５に送り出す。なお、ロール紙装填部３は、ロール紙装填部３内におけるロール紙６の搬送方向が第１の面を成すように構成されている。第１の面は、例えばロール紙６の捲回軸と直交する方向が成す面と同じ面として構成される。
【００２１】
券処理部４は、ロール紙を用いて発券処理を行う発券機構と、発券機構にロール紙を搬送する搬送系統（第２の搬送系統）とを備える。券処理部４は、接続搬送系統５から送り出されたロール紙６を切断し、切断した券媒体としてのロール紙６に対して磁気書込み及び印字などの券処理を行い、乗車券として発券する。なお、券処理部４は、発券装置１の図示されない制御部または上位装置から乗車券情報を受けとり、受け取った乗車券情報に従って印字及び磁気書込みなどの券処理を行う。
【００２２】
図４は、券処理部４と接続搬送系統５の一部との構成例について説明する為の説明図である。券処理部４は、ガイド部材２０、ロール紙切断部２１、搬送機構２２、整列部２３、印字部２４、第１の磁気ヘッド２５、第２の磁気ヘッド２６、分岐部２７、排出部２８、パンチ部２９、及び集札部３０を備える。上記の発券機構は、ロール紙切断部２１、整列部２３、印字部２４、第１の磁気ヘッド２５、第２の磁気ヘッド２６、分岐部２７、排出部２８、パンチ部２９、及び集札部３０を含む。また、上記の第２の搬送系統は、ガイド部材２０、及び搬送機構２２を含む。
【００２３】
ガイド部材２０は、接続搬送系統５から送り出されたロール紙６をロール紙切断部２１まで導入する。
【００２４】
ロール紙切断部２１は、ガイド部材２０及び接続搬送系統５を介してロール紙装填部３から送り出されたロール紙６を所定の長さで切断する。なお、以下切断されたロール紙を券媒体と称する。ロール紙切断部２１は、ロール紙６から切断した券媒体を搬送機構２２に導入する。ロール紙切断部２１は、例えば、ロール紙６の先端の位置を検知することによりロール紙６を任意の長さで切断する。なお、ロール紙切断部２１は、発券する乗車券の種類に応じた長さでロール紙６を切断する構成であってもよい。
【００２５】
搬送機構２２は、ロール紙切断部２１により切断された券媒体を搬送する。搬送機構２２は、例えば、図示されない動力源の動力によって駆動されるローラと、このローラと連動して動作するベルトと、を備える。搬送機構２２は、少なくとも１対以上のベルトによって券媒体を挟持して搬送する。搬送機構２２により券媒体が搬送される経路を搬送路と称する。搬送機構２２は、ロール紙切断部２１から導入された券媒体を排出部２８に向けて搬送する。なお、以下搬送路のロール紙切断部２１に近い側を上流側と称し、ロール紙切断部２１から遠い側を下流側と称する。
【００２６】
整列部２３は、搬送されてきた券媒体を所定の姿勢に整えて下流側の搬送路に流す。整列部２３は、搬送路におけるロール紙切断部２１の下流側に設けられる。
【００２７】
印字部２４は、搬送路を流れる券媒体に印刷を行う。印字部２４は、搬送路における整列部２３の下流側に設けられる。
【００２８】
第１の磁気ヘッド２５は、乗車券情報に応じて搬送路を流れる券媒体に磁気により情報を書き込む。第１の磁気ヘッド２５は、搬送路上の印字部２４の下流側に設けられる。
【００２９】
第２の磁気ヘッド２６は、搬送路を流れる券媒体から磁気を読み取る。第２の磁気ヘッド２６は、搬送路上の第１の磁気ヘッド２５の下流側に設けられる。第２の磁気ヘッド２６により読み取られた磁気は、第１の磁気ヘッド２５によって券媒体に正しく情報が書き込まれたか否かの判断に用いられる。
【００３０】
分岐部２７は、上流側の搬送路から流れる券媒体の搬送先を切り替える。分岐部２７は、例えば搬送路上に設けられたゲート３１を回動させることによって券媒体の搬送先を排出部２８と集札部３０とで切り替える。具体的には、分岐部２７は、例えば第１の磁気ヘッド２５によって券媒体に正しく情報が書き込まれていないと図示されない制御部によって判断された場合、券媒体の搬送先を集札部３０に切り替える。また、分岐部２７は、例えば第１の磁気ヘッド２５によって券媒体に正しく情報が書き込まれていると図示されない制御部によって判断された場合、券媒体の搬送先を排出部２８に切り替える。
【００３１】
排出部２８は、搬送路を流れる券媒体を券処理部４の外部に排出する。排出部２８から排出された券媒体は、例えば筐体２の排出口７を通って発券装置１の筐体２の外部に排出される。排出部２８は、分岐部２７により分岐された２つの搬送路のうちの一方の端部に設けられる。
【００３２】
パンチ部２９は、搬送路を流れる券媒体にパンチ穴を開ける。パンチ部２９は、分岐部２７により分岐された２つの搬送路のうちの他方に設けられる。
【００３３】
集札部３０は、搬送路を流れる券媒体を集積する。集札部３０は、搬送路上のパンチ部２９の下流側の端部に設けられる。集札部３０は、分岐部２７により分岐された２つの搬送路のうちの他方の端部に設けられる。集札部３０は、パンチ部２９によりパンチ穴が開けられた券媒体を集積する。
【００３４】
上記した券処理部４は、券処理部４内におけるロール紙（券媒体）６の搬送方向が第２の面を成すように構成されている。第２の面は、例えばロール紙装填部３の第１の面と平行に構成されている。即ち、券処理部４は、ロール紙６の捲回軸と直交する方向が成す面と平行な面内でロール紙６から切断した券媒体を搬送する。
【００３５】
接続搬送系統５は、ロール紙装填部３から送り出されたロール紙６を券処理部４に導入する。例えば、接続搬送系統５は、ロール紙装填部３から送り出されたロール紙６を、ロール紙６の捲回軸と直交する方向が成す面（即ち第１の面）に対して所定の角度を成す方向に搬送して券処理部４に導入する。
【００３６】
図５は、接続搬送系統５の構成例について説明する為の説明図である。図５は、接続搬送系統５と、ロール紙装填部３及び券処理部４の一部を示す斜視図である。接続搬送系統５は、基部４１、第１の方向変換部４２、ガイド部材４３、及び第２の方向変換部４４を備える。
【００３７】
基部４１は、第１の方向変換部４２、ガイド部材４３、及び第２の方向変換部４４を固定する為の部材である。基部４１は、例えば第１の方向変換部４２、ガイド部材４３、及び第２の方向変換部４４を固定する為の配置面を有する。図６は、基部４１を基部４１の配置面と直交する方向から見た図である。図６に示されるように、基部４１の配置面は、例えば矩形状に形成されている。基部４１は、筐体２を構成する６つの面のいずれかと筐体２内において対向する位置に設けられる。例えば、基部４１は、筐体２を構成する６つの面のうちの底面と筐体２内において対向する位置に設けられる。
【００３８】
第１の方向変換部４２は、ロール紙装填部３から送り出されたロール紙６の搬送方向をロール紙６の捲回軸と直交する方向が成す面に対して所定の角度を成す方向に変換してガイド部材４３に送り出す。即ち、第１の方向変換部４２は、第１の面内の方向でロール紙装填部３から搬送されるロール紙６を受けとり、受け取ったロール紙６の搬送方向を第１の面に対して所定の角度を成す方向に変換する。第１の方向変換部４２は、基部４１の配置面上に配置される。第１の方向変換部４２は、基部４１の配置面の長手方向における一方の端部に配置される。より具体的には、第１の方向変換部４２は、基部４１の配置面の長手方向において筐体２の前面に近い方の端部に配置される。
【００３９】
ガイド部材４３は、第１の方向変換部４２から送り出されたロール紙６を第２の方向変換部４４に導入する部材である。ガイド部材４３は、基部４１の配置面に設置される。ガイド部材４３は、第１の方向変換部４２と第２の方向変換部４４との間においてロール紙６が基部４１の配置面と平行に搬送されるようにロール紙６の搬送経路をガイドする。
【００４０】
第２の方向変換部４４は、第１の方向変換部４２により搬送方向が変換されたロール紙６の搬送方向を券処理部４における搬送方向に変換する。即ち、第２の方向変換部４４は、第１の方向変換部４２により搬送方向が変換されてガイド部材４３を介して送り出されたロール紙６を受けとり、受け取ったロール紙６の搬送方向を第２の面内の方向に変換する。第２の方向変換部４４は、基部４１の配置面上に配置される。第２の方向変換部４４は、基部４１の配置面の長手方向における他方の端部に配置される。より具体的には、第２の方向変換部４４は、基部４１の配置面の長手方向において筐体２の前面から遠い方の端部に配置される。
【００４１】
上記した実施形態によると、発券装置１は、装填されたロール紙６を送り出すロール紙装填部３と、ロール紙６を用いて発券処理を行う券処理部４と、ロール紙装填部３から送り出されたロール紙６をロール紙６の捲回軸と直交する方向が成す面に対して所定の角度を成す方向に搬送して券処理部４に導入する接続搬送系統５と、を備える。これにより、発券装置１は、ロール紙装填部３におけるロール紙６の搬送方向が成す面である第１の面とは異なる平面上でロール紙６を用いて券処理を行うことが可能になる。これにより発券装置１を小型化することが可能になる。
【００４２】
また、上記した実施形態によると、発券装置１の接続搬送系統５は、ロール紙装填部３から送り出されたロール紙６の搬送方向をロール紙６の捲回軸と直交する方向が成す面に対して所定の角度を成す方向に変換する第１の方向変換部４２と、第１の方向変換部４２により搬送方向が変換されたロール紙６の搬送方向を券処理部４における搬送方向に変換する第２の方向変換部４４と、を備える。これにより、券処理部４におけるロール紙の搬送方向を自由に設定することができる。
【００４３】
また、上記した実施形態によると、発券装置１の接続搬送系統５は、ロール紙装填部３における第１の面と、券処理部４におけるロール紙６の搬送方向が成す面である第２の面とを平行に配置することにより、発券装置１のロール紙装填部３と券処理部４とを並列に配置することが可能になる。これにより、これにより発券装置１を小型化することが可能になる。
【００４４】
また、上記した実施形態によると、第１の方向変換部４２及び第２の方向変換部４４は、基部４１の配置面上に配置される。このように１つの面上に第１の方向変換部４２及び第２の方向変換部４４を配置することにより、発券装置１を小型化することができる。
【００４５】
また、上記した実施形態によると、接続搬送系統５は、第１の方向変換部４２と第２の方向変換部４４との間においてロール紙６を基部４１の配置面と平行に搬送するガイド部材４３を備える。このような構成によると、第１の方向変換部４２と第２の方向変換部４４との間においてロール紙６を基部４１の配置面に沿わすことができる。これにより、発券装置１を小型化することができる。
【００４６】
また、上記した実施形態によると、第１の方向変換部４２は、基部４１の配置面の長手方向における一方の端部に配置され、第２の方向変換部４４は、基部４１の配置面の長手方向における他方の端部に配置される。このような構成によると、第１の方向変換部４２と第２の方向変換部４４との間の距離を筐体２内で最大限確保することが可能になる。これにより、接続搬送系統５の角度を浅くすることが可能なる為、ロール紙６の幅寄せによるよれを防ぐことができる。
【００４７】
また、上記した実施形態によると、基部４１は、筐体を構成する６つの面のいずれかと筐体内において対向する位置に設けられる。これにより、筐体２内において接続搬送系統５をコンパクトに配置することができる。
【００４８】
また、上記した実施形態によると、筐体２は、券処理部４により発券処理が行われた乗車券を排出する排出口を６つの面のいずれかである前面に備える。さらに、第１の方向変換部４２は、基部４１の配置面の長手方向において前面に近い方の端部に配置され、第２の方向変換部４４は、基部４１の配置面の長手方向において前面から遠い方の端部に配置される。このような構成によると、第１の方向変換部４２が前面に近い位置に配置されている為、ロール紙６を収容するロール紙収容部も筐体２の前面の近くに配置することができる。このような構成によると、容易にロール紙収容部１１にロール紙６を装填することが可能になる。
【００４９】
また、上記した実施形態によると、基部４１は、筐体２の底面と筐体内において対向する位置に設けられる。このような構成によると、筐体２内において接続搬送系統５を隅に配置することが可能になる。これにより、発券装置１を小型化することができる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１…発券装置、２…筐体、３…ロール紙装填部、４…券処理部、５…接続搬送系統、６…ロール紙、７…排出口、８…扉、１１…ロール紙収容部、１２…ローラ、１３…スクレーパ、１４…ガイド部材、２０…ガイド部材、２１…ロール紙切断部、２２…搬送機構、２３…整列部、２４…印字部、２５…第１の磁気ヘッド、２６…第２の磁気ヘッド、２７…分岐部、２８…排出部、２９…パンチ部、３０…集札部、３１…ゲート、４１…基部、４２…第１の方向変換部、４３…ガイド部材、４４…第２の方向変換部。
【図１】
2017162383.tif 000003
【図２】
2017162383.tif 000004
【図３】
2017162383.tif 000005
【図４】
2017162383.tif 000006
【図５】
2017162383.tif 000007
【図６】
2017162383.tif 000008